(57)【要約】【課題】  利用者が、画像データ管理装置に保存されているドキュメントを参照しようとする場合に、ドキュメントのデータ形式を考慮しなくてもよいデータ提供システムを構築するための画像データ管理装置等を提供する。【解決手段】  画像データ管理装置（ＭＦＰ）は、スキャナ１３００等で作成された各種画像データを画像データ記憶部１７００に保存しており、ユーザの端末２０００からの画像データの送出の要求に応じて、データ形式決定部１６１０がポート番号管理テーブル記憶部１６２０に記憶されているポート番号管理テーブルを基に、送出する画像データのデータ形式を決定し、データ形式変換部１６３０が画像データ記憶部１７００に保存している画像データを決定したデータ形式に変換し、変換した画像データをユーザの端末２０００に送出する。【選択図】  図２
2005286873.tif 000002
【特許請求の範囲】
【請求項１】
所定のデータ形式で作成された画像データを取得する取得手段と、
前記画像データを記憶する記憶手段と、
画像データの送出の要求に関する要求情報を取得する要求取得手段と、
前記要求取得手段により取得した要求情報に基づき、送出する画像データのデータ形式を決定する決定手段と、
前記記憶手段に記憶された所定のデータ形式で作成された画像データを、前記決定手段で決定したデータ形式に変換する変換手段と、
前記変換手段により変換した画像データを送出する送出手段と
を備えることを特徴とする画像データ管理装置。
【請求項２】
前記画像データ管理装置は、
前記送出手段が送出する画像データのデータ形式と、前記送出手段が画像データを送出するポートを示す送出ポート情報とを関連付ける送出情報を記憶する送出情報記憶手段を備え、
前記要求取得手段により取得した要求情報は、前記送出ポート情報を含み、
前記決定手段は、前記送出情報記憶手段に記憶されている送出情報と、前記要求情報に含まれる送出ポート情報とから、送出する画像データのデータ形式を決定する
ことを特徴とする請求項１記載の画像データ管理装置。
【請求項３】
前記要求取得手段により取得した要求情報は、
前記送出する画像データのデータ形式を含み、
前記要求取得手段により要求情報を取得したときに、前記送出情報記憶手段に記憶されている送出情報のうち、取得した要求情報に含まれる送出ポート情報に関連づけられているデータ形式を、前記取得したデータ形式に書き換える
ことを特徴とする請求項２記載の画像データ管理装置。
【請求項４】
前記所定のデータ形式は、1種類のデータ形式である
ことを特徴とする請求項１記載の画像データ管理装置。
【請求項５】
画像形成装置特有のデータ形式で作成された画像データを取得する取得手段と、
前記画像データを記憶する記憶手段と、
前記記憶手段に記憶された画像データに基づいて画像形成を行う画像形成手段と、
前記記憶手段に記憶された画像データを、他のデータ形式の画像データに変換する変換手段と、
前記変換手段で変換した画像データを送出する送出手段と
を備えることを特徴とする画像形成装置。
【請求項６】
画像データ管理装置に、画像データ管理処理を行わせるためのコンピュータプログラムであって、
前記画像データ管理処理は、
所定のデータ形式で作成された画像データを取得する取得ステップと、
前記画像データを記憶する記憶ステップと、
画像データの送出の要求に関する要求情報を取得する要求取得ステップと、
前記要求取得ステップにより取得した要求情報に基づき、送出する画像データのデータ形式を決定する決定ステップと、
前記記憶ステップで記憶した所定のデータ形式で作成された画像データを、前記決定ステップで決定したデータ形式に変換する変換ステップと、
前記変換ステップにより変換した画像データを送出する送出ステップと
を含むことを特徴とするコンピュータプログラム。
【発明の詳細な説明】
【技術分野】
【０００１】
本発明は、画像データを管理・保存する画像データ管理装置及び画像形成装置に関し、特に、画像データを読み出す際の操作性向上につながる技術に関する。
【背景技術】
【０００２】
画像データを管理等する装置（以下、「画像管理サーバ」という。）は、文書、画像等のドキュメントを電子データの形で、メモリに保存している。
画像管理サーバはドキュメントを保存する際、ドキュメントを、ファイル転送やメール等の使用目的に応じたデータ形式で符号化した形で保存している。すなわち、符号化することで電子データの大きさを小さくし、保存メモリの効率的利用を図っている。
【０００３】
また、保存されているドキュメントを閲覧等する場合には、利用者は、画像管理サーバにアクセスし、閲覧したいドキュメントを指定し、指定したドキュメントの電子データを自分の端末等に持ってきて閲覧等を行う。
ここで、指定したドキュメントの電子データを自分の端末等に持ってくる場合、すなわち、画像管理サーバと利用者の端末との間でデータのやり取りをする場合は、通常、双方を繋ぐソケットを使用してデータのやり取りを行う。
【０００４】
ソケットを通じてデータのやり取りを行うには、通信を行うコンピュータ同士が同じ番号のポートを指定する必要がある。
ポートとは、独自の識別子、例えばＩＰアドレス、を持っている1台のコンピュータが、複数のコンピュータと同時に通信するために、補助アドレスとしてもっているものである。ポートは、複数指定することが可能であり、ポートの指定には0から65535までの数字が使われるため、「ポート番号」とも呼ばれる。また、ソケットとは、コンピュータのアドレスとポートを組み合わせたネットワークアドレスである。
【０００５】
データのやり取りはソケットでコンピュータ間を繋げて行うことから、ポート番号を間違わないように、通信を行う一対のコンピュータが使用するポート番号を一括して管理し、確実に目的とするコンピュータにソケットを繋ぐことが出来るようにした技術が公開されている（特許文献１参照）。この技術により、利用者は、目的のドキュメントを保存している画像管理サーバに、迷うことなくアクセスすることができる。
【特許文献１】特開平０７−３１１７２４号公報
【発明の開示】
【発明が解決しようとする課題】
【０００６】
しかし、画像管理サーバ内に保存されているドキュメントの電子データは、その使用目的等に応じたデータ形式で作成・保存されているため、必ずしも、自分の端末が表示等できるデータ形式で保存されているわけではない。
したがって、利用者は、自分の端末等に持ってきた電子データを閲覧等するにあたり、保存されている電子データのすべてのデータ形式を表示できるように、各種ブラウザを用意する必要がある。または、自分の端末が持っているブラウザが、閲覧等しようとする電子データのデータ形式をサポートしていない場合には、その電子データのデータ形式を自分の端末が持っているブラウザが表示可能なデータ形式に変換して、閲覧等する必要がある。
【０００７】
またさらに、データ変換を行えないような場合には、ドキュメントの閲覧等を止めざるをえないことも考えられる。
すなわち、利用者は、ドキュメントの内容を閲覧等するにあたり、その内容を閲覧等する前に、そのドキュメントの電子データがどのようなデータ形式で作成されており、そのデータ形式の電子データを自分が通常利用しているブラウザやエディタで表示可能であるか否かを考慮する必要がある。
【０００８】
そこで、本発明は、ドキュメントを閲覧等するという利用者の本来の目的を達成する前に、ドキュメントのデータ形式を考慮することなく、利用するドキュメントの内容のみを意識すればよいデータ提供システムを構築するための画像データ管理装置等の提供を目的とする。
【課題を解決するための手段】
【０００９】
上記課題を解決する為に、本発明の画像データ管理装置は、所定のデータ形式で作成された画像データを取得する取得手段と、前記画像データを記憶する記憶手段と、画像データの送出の要求に関する要求情報を取得する要求取得手段と、前記要求取得手段により取得した要求情報に基づき、送出する画像データのデータ形式を決定する決定手段と、前記記憶手段に記憶された所定のデータ形式で作成された画像データを、前記決定手段で決定したデータ形式に変換する変換手段と、前記変換手段により変換した画像データを送出する送出手段とを備えることを特徴とする。
【発明の効果】
【００１０】
本発明に係る画像データ管理装置は、上述の構成を備えることにより、外部のアプリケーションから画像データを要求された場合に、その要求に合わせて画像データのデータ形式を変換して、変換後の画像データを渡すことができるので、外部アプリケーションは、すぐに受け取った画像データを表示等することができるようになる。すなわち、画像データ管理装置等に蓄えられている画像データのデータ形式を意識すること無しに、利用者は、画像データを参照等することができる様になり利便性が向上する。
【００１１】
ここで、画像データの取得手段とは、画像データ管理装置の内部のＨＤＤ（Ｈａｒｄ  Ｄｉｓｋ  Ｄｒｉｖｅ）等や外部装置から画像データを読み込む手段であり、画像データとはスキャナで読み込まれたデータやＦＡＸで受信したデータ等様々なものである。
また、前記画像データ管理装置は、前記送出手段が送出する画像データのデータ形式と、前記送出手段が画像データを送出するポートを示す送出ポート情報とを関連付ける送出情報を記憶する送出情報記憶手段を備え、前記要求取得手段により取得した要求情報は、前記送出ポート情報を含み、前記決定手段は、前記送出情報記憶手段に記憶されている送出情報と、前記要求情報に含まれる送出ポート情報とから、送出する画像データのデータ形式を決定することとしてもよい。
【００１２】
これにより、外部アプリケーションが繋いだポートの番号に応じて、決まったデータ形式の画像データを送出することができるので、外部アプリケーションは、要求する画像データのデータ形式を指定することなく、必要なデータ形式で作成された画像データを受信することができるようになる。
また、前記要求取得手段により取得した要求情報は、前記送出する画像データのデータ形式を含み、前記要求取得手段により要求情報を取得したときに、前記送出情報記憶手段に記憶されている送出情報のうち、取得した要求情報に含まれる送出ポート情報に関連づけられているデータ形式を、前記取得したデータ形式に書き換えることとしてもよい。
【００１３】
これにより、外部アプリケーションが、一度、画像データの形式を指定して画像データを要求すれば、そのポート番号とデータ形式が保存されるので、それ以後、外部アプリケーションは、ポート番号を指定するだけで、要求する画像データのデータ形式を指定することなく、必要なデータ形式で作成された画像データを受信することができるようになる。
【００１４】
また、前記所定のデータ形式は、1種類のデータ形式であることとしてもよい。
これにより、所定のデータ形式の画像データを、他のデータ形式の画像データに変換する場合に、解凍するＣＯＤＥＣ（ＣＯｍｐｒｅｓｓｏｒ  ＤＥＣｏｍｐｒｅｓｓｏｒ）が１つで良いので、画像データ管理装置の構造を簡素化することができる。
さらに、上記課題を解決する為に、本発明の画像形成装置は、画像形成装置特有のデータ形式で作成された画像データを取得する取得手段と、前記画像データを記憶する記憶手段と、前記記憶手段に記憶された画像データに基づいて画像形成を行う画像形成手段と、前記記憶手段に記憶された画像データを、他のデータ形式の画像データに変換する変換手段と、前記変換手段で変換した画像データを送出する送出手段とを備えることを特徴とする。
【００１５】
これにより、様々なデータ形式の画像データを送出することができるので、利用者は、必要に応じたデータ形式の画像データを取得することが出来るようになる。
【発明を実施するための最良の形態】
【００１６】
＜概要＞
図1は、本発明にかかる画像データ管理装置と利用者の端末等の関係を示す図である。
本実施形態では、画像データ管理装置は、ＭＦＰ（Ｍｕｌｔｉ  Ｆｕｎｃｔｉｏｎ  Ｐｅｒｉｐｈｅｒａｌ）１０００であり、利用者は各々の端末２０００で、ＰａｇｅＳｃｏｐｅ（登録商標）ＣａｂｉｎｅｔやＭＳ  Ｗｏｒｄ等の様々なソフトウェアをブラウザとして使用しているものとする。また、端末２０００のみならず、ルータ２００１等であってもよい。
【００１７】
ＭＦＰ１０００と端末２０００等は、ネットワーク９０００でつながっており、利用者はＭＦＰ１０００に保存されているドキュメントの電子データを自分の端末２０００に読み込み、端末上のブラウザでドキュメントを参照する。
本発明では、利用者が自分の端末２０００等に目的のドキュメントの電子データを読み込んだ時点で、既に、端末上のブラウザで表示可能なデータ形式になっており、利用者は、すぐに目的のドキュメントを参照することができる。ＭＦＰ１０００において、利用者のブラウザが必要とするデータ形式を、そのブラウザがアクセスしてきているポート番号で判断し、データ形式の変換を行っているからである。
【００１８】
ＭＦＰ１０００がポート番号によってデータ形式を判断することができるのは、利用者のブラウザなどである外部のアプリケーションソフトウェアが使用するポートが、決まっているからである。
＜構成＞
以下、本発明の実施形態に係る画像データ管理装置であるＭＦＰ１０００について、図２を用いて説明する。
【００１９】
図２は、ＭＦＰの構成を示す機能ブロック図である。
ＭＦＰ１０００は、パネル１１００、プリンタ１２００、スキャナ１３００、ＦＡＸ１４００、制御部１５００、データ作成部１６００、画像データ記憶部１７００及びデータ通信部１８００から構成される。
制御部１５００は、ＣＰＵ、メモリ等（図示していない。）を備え、ＭＦＰ１０００に必要な一般的な制御処理を行う他、本発明に特有の処理の制御を行う。
【００２０】
以下に説明する各部の機能は、ＭＦＰ１０００のメモリに格納されているプログラムが、ＣＰＵにより実行されることで実現される。
パネル１１００は、いわゆる操作パネルであり、例えば、スキャナ機能とＦＡＸ機能の切り替え操作を受付け、制御部１５００に通知したり、ＭＦＰ１０００の状態を表示するなどの機能を有する。
【００２１】
また、プリンタ１２００は、画像データを印刷する機能を有する。ネットワーク９０００でつながっている端末２０００等から送られてくるデータや、画像データ記憶部１７００に記憶されているデータを、制御部１５００を介して、印刷することができる。画像データ記憶部１７００については、後で説明する。
スキャナ１３００は、文書、画像等のドキュメントを読み取る機能を有する。また、読み取ったドキュメントを、制御部１５００を介して、電子データとして画像データ記憶部１７００に保存することができる。
【００２２】
ＦＡＸ１４００は、ＦＡＸの送受信を行う機能を有する。スキャナ１３００で読み込んだ画像データや画像データ記憶部１７００に記憶されている画像データ等を、制御部１５００を介して、ＦＡＸ送信することができる。また、ＦＡＸ受信した画像データを、制御部１５００を介して、プリンタ１２００で印刷したり、画像データ記憶部１７００に記憶しておくことができる。
【００２３】
画像データ記憶部１７００は、画像データを記憶しておく機能を有する。記憶されている画像データは、プリンタ１２００で印刷したドキュメントの画像データ、スキャナ１３００で読み取ったドキュメントの画像データ、ＦＡＸ１４００で送受信したドキュメントの画像データ、他の機器から記憶依頼を受けて記憶している画像データ等様々なものである。
【００２４】
ただし、これらの画像データは、所定のデータ形式で作成されているものとする。この所定のデータ形式とは、ドキュメントをスキャンしたままのデータを符号化したものであり、元のデータよりもデータ量が少なくなっている。保存スピードの向上や記憶領域の効率的な利用を図るためである。
さらに、この所定のデータ形式は、複数のデータ形式であってもよく、目的のデータ形式に変換することができればよい。但し、本実施形態では、1つのデータ形式（以下、「内部データ形式」という。）ですべての画像データが作成され、画像データ記憶部１７００に記憶されているものとする。
【００２５】
尚、この符号化の方式は、可逆性を有するものが最適といえるが、解凍後に別のデータ形式に変換した場合に求められる精度を満たすものであればよい。例えばＪＢＩＧ（Ｊｏｉｎｔ  ＢｉＬｅｖｅｌ−Ｉｍａｇｅ  ｅｘｐｅｒｔ  Ｇｒｏｕｐ）や、独自の符号化方式でもよい。
次に、データ通信部１８００は、外部とのデータのやり取りを行う機能を有する。外部機器のアプリケーションから繋げられたソケットが、どのポートを指定しているかを認識することができる。データ通信部１８００から利用者の端末２０００に送信されたデータは、ブラウザ２１００で表示される。
【００２６】
データ作成部１６００は、画像データ記憶部１７００に記憶しているファイルから、利用者が要求しているデータ形式のファイルを作成する機能を有する。作成したファイルは、データ通信部１８００を通じて、利用者の端末２０００に送信される。
データ作成部１６００は、データ形式決定部１６１０、ポート番号管理テーブル記憶部１６２０及びデータ形式変換部１６３０で構成される。
【００２７】
データ形式決定部１６１０は、データ通信部１８００が認識したポート番号を制御部１５００を介して受け取り、その受け取ったポート番号のポートに送出すべきデータのデータ形式を決定する機能を有する。ポート番号からデータ形式を決定する方法は、ポート番号とデータ形式の対応表であるポート番号管理テーブル（図３、参照。）を用いて決定する。ポート番号管理テーブルの詳細については、＜データ＞の項目で説明する。
【００２８】
ポート番号管理テーブル記憶部１６２０は、ポート番号管理テーブル３０００を記憶し、参照、更新等を行う機能を有する。
次に、データ形式変換部１６３０は、画像データ記憶部１７００に記憶してあるデータを読み出し、読み出したデータを別のデータ形式のデータに変換する機能を有する。作成したデータは、データ通信部１８００に渡され、送信される。
【００２９】
すなわち、内部データ形式で符号化されているデータを、一旦解凍し、その解凍したデータを、データ形式決定部１６１０で決定したデータ形式で再度符号化して、変換後のデータを作成する。
尚、内部データ形式とデータ形式決定部１６１０で決定したデータ形式とが同じデータ形式である場合には、解凍等を行うことなく、そのままデータ通信部１８００に渡される。
【００３０】
＜データ＞
以下、上述したＭＦＰ１０００で用いる主なデータについて図３を用いて説明する。
図３は、ポート番号管理テーブル３０００の構成及び内容例を示す図である。
このポート番号管理テーブル３０００は、事前に作成されているものとする。
ポート番号管理テーブル３０００は、ポート番号３１００、データ形式３２００及びアプリケーション３３００で構成される。
【００３１】
ポート番号３１００は、ポートを識別する番号であり、このＭＦＰ１０００で使用する番号が設定されている。
データ形式３２００は、対応するポート番号の示すポートに送出すべきデータのデータ形式を表したものである。
また、アプリケーション３３００は、ポート番号３１００の示すポートに送出したデータを受け取るアプリケーション、すなわち、利用者が使用しているブラウザ等を表したものである。
【００３２】
このアプリケーション３３００の項目は、説明の便宜上、ポート番号管理テーブルの構成要件としているが、ポート番号３１００とデータ形式３２００が必須項目である。
例えば、ポート番号３１００が「８０」のポートには、データ形式「ＰＤＦ（Ｐｏｒｔａｂｌｅ  Ｄｏｃｕｍｅｎｔ  Ｆｏｒｍａｔ）」で作成されたデータを送出する。また、ポート番号が「９０」のポートには、データ形式「ＰＤＦ＆ＴＩＦＦ（Ｔａｇｇｅｄ  ＩｍａｇｅＦｉｌｅ  Ｆｏｒｍａｔ）」、すなわち、同じ内容のドキュメントであって、データ形式が「ＰＤＦ」で作成されたデータと「ＴＩＦＦ」で作成されたデータの２つのデータを送出する。
【００３３】
ポート番号「８０」に送出されたデータは、データ形式「ＰＤＦ」で作成されており、アプリケーション３３００「ＰａｇｅＳｃｏｐｅＣａｂｉｎｅｔ」によって表示される。また、ポート番号「９０」に送出されたデータは、データ形式「ＰＤＦ」と「ＴＩＦＦ」で作成されており、アプリケーション３３００「ＰａｇｅＳｃｏｐｅＲｏｕｔｅｒ」によって、ルータに繋がっている端末等に必要なデータ形式のデータが再送されることになる。
【００３４】
＜動作＞
以下、上述したＭＦＰ１０００の動作について図４を用いて説明する。
図４は、ＭＦＰ１０００と端末２０００の処理のフローチャート及びデータのやり取りを示す図である。
まず、利用者は、自分の端末２０００で、ＭＦＰ１０００に保存されているドキュメントファイルを指定する。この指定は、ＭＦＰ１０００にアクセス可能なアプリケーション、例えば、「ＰａｇｅＳｃｏｐｅＣａｂｉｎｅｔ」を通して指定する必要がある。また、利用者がドキュメントファイルを指定する際、データ形式を表すファイルの拡張子等は意識する必要はない。
【００３５】
ファイルの指定を受け付けた端末２０００のアプリケーションは、ソケットを作成し、ＭＦＰ１０００に接続する（ステップＳ３０１）。この接続の際、ＭＦＰ１０００のＩＰアドレス（Ｉｎｔｅｒｎｅｔ  Ｐｒｏｔｏｃｏｌ  Ａｄｄｒｅｓｓ）とポート番号を指定する。
ＭＦＰ１０００は、端末２０００からの接続を受け付け、ＭＦＰ１０００と端末２０００間の接続が確立する（ステップＳ３０２）。これで、ＭＦＰ１０００のデータ通信部１８００と利用者の端末２０００のブラウザ２１００との間で、データのやり取りを行うことが可能となる。
【００３６】
接続が確立した後、データ通信部１８００は接続しているポート番号を認識する（ステップＳ３０３）。
また、端末２０００は、利用者が要求しているドキュメントファイルを識別するもの、例えばファイル名をＭＦＰ１０００に送信する（ステップＳ３０４）。
ファイル名は、ＭＦＰ１０００に送信され、データ通信部１８００は、ファイル名を受信する（ステップＳ３０５）。
【００３７】
ファイル名を受信したデータ通信部１８００は、制御部１５００を介して、認識したポート番号とファイル名とをデータ作成部１６００に渡し、データ形式を変換する旨依頼する。
データ形式を変換する旨の依頼を受けたデータ作成部は、受け取ったポート番号をデータ形式決定部１６１０に渡す。また、データ作成部は、受け取ったファイル名をデータ形式変換部１６３０に渡す。
【００３８】
ポート番号を受け取ったデータ形式決定部１６１０は、データ形式を決定し、決定したデータ形式を、データ形式変換部１６３０に通知する。この決定は、ポート番号管理テーブル記憶部１６２０にポート番号管理テーブル３０００の参照を依頼することで行う。例えば、ポート番号が「８０」であれば、データ形式は「ＰＤＦ」と決定する。
ファイル名を受け取ったデータ形式変換部１６３０は、受け取ったファイル名のファイルを、画像データ記憶部１７００から読み出す。この読み出したファイルを、データ形式変換部１６１０から受け取ったデータ形式に変換する（ステップＳ３０６）。
【００３９】
データを変換したデータ変換部１６３０は、変換後のファイルデータをデータ通信部１８００に渡す。読み出したファイルのデータ形式と、変換後のデータ形式が同じ場合には、変換は行わず、読み出したままのファイルデータをデータ通信部１８００に渡すことになる。
変換後のデータを受け取ったデータ通信部１８００は、端末２０００が接続しているポートに、変換後のファイルデータを送出する（ステップＳ３０７）。
【００４０】
ＭＦＰ１０００から送出された変換後のファイルデータは、通信回線を通り（ステップＳ３０８）、端末２０００により受信される（ステップＳ３０９）。
ファイルデータが端末２０００により受信された後、ＭＦＰ１０００と端末２０００を繋ぐソケットは、破棄される。
受信されたファイルデータは、そのまま端末２０００のブラウザ２１００で表示され（ステップＳ３１０）、利用者により参照される。
【００４１】
＜補足＞
以上、本発明に係る画像データ管理装置について実施形態に基づいて説明したが、この画像データ管理装置を部分的に変形することもでき、本発明は上述の実施形態に限られないことは勿論である。
（１）実施形態では、画像データ記憶部１７００はＭＦＰ１０００の内部に存在することとなっているが、画像データ管理装置外にあってもよい。この場合、外部の画像データ記憶部とのデータ送受信が必要となる。
（２）実施形態では、画像データ記憶部１７００に保存されているファイルデータは、内部データ形式で作成されていることとなっているが、ファイルそれぞれに異なるデータ形式で作成されていてもよい。ただし、要求されるデータ形式に変換することが可能でなければならない。すなわち、それぞれのデータ形式に対応するＣＯＤＥＣ（ＣＯｍｐｒｅｓｓｏｒ  ＤＥＣｏｍｐｒｅｓｓｏｒ）が必要となる。
（３）実施形態では、ポート番号管理テーブル３０００は、事前に作成されているものとしているが、通信履歴を利用することとしてもよい。
【００４２】
例えば、あるポート番号を指定したソケットを通して、あるデータ形式のファイルを要求してきた場合に、データ生成部１６００は、指定されているポート番号３１００に対応するデータ形式３２００が未定義の場合には、要求されているデータ形式で、対応するデータ形式３２００を定義し、そのデータ形式にデータ変換した画像データを送出する。
また、指定されているポート番号３１００に対応するデータ形式３２００が定義済み場合には、要求されているデータ形式が何であっても、定義されているデータ形式の画像データを送出する。
【００４３】
さらに、データ形式３２００が未定義のポート番号３１００を指定したデータ要求があった場合には、データ変換を行わずに画像データを送出する。
すなわち、ポートに対する最初の要求によって、そのポート番号とデータ形式の対応付けが定められる。
（４）実施形態で示した画像データ管理装置等の各機能を実現させる為の各制御処理（図２等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した画像データ管理装置等の各機能が実現される。
【００４４】
また、本発明を実現するためのプログラムは、上記に説明した処理をコンピュータに実行させるための全てのモジュールを含んでいる必要はなく、例えば通信プログラムや、オペレーティングシステム（ＯＳ）に含まれるプログラムなど、別途情報処理装置にインストールすることができる各種汎用的なプログラムを利用して、本発明の各処理をコンピュータに実行させるようにしてもよい。従って、上記した本発明の記録媒体に必ずしも前記全てのモジュールを記録している必要はないし、また、必ずしも全てのモジュールを伝送する必要もない。さらに所定の処理を専用ハードウェアを利用して実行させるようにすることができる場合もある。
【産業上の利用可能性】
【００４５】
様々なブラウザ等のアプリケーションのユーザインターフェースの向上を図り、ファイルサーバに保存しているファイルの利用促進を図るためシステムを構築するための技術として有用である。
【図面の簡単な説明】
【００４６】
【図１】本発明にかかる画像データ管理装置と利用者の端末等の関係を示す図である。
【図２】ＭＦＰの構成を示す機能ブロック図である。
【図３】ポート番号管理テーブルの構成及び内容例を示す図である。
【図４】ＭＦＰと端末の処理のフローチャート及びデータのやり取りを示す図である。
【符号の説明】
【００４７】
１０００    ＭＦＰ
１１００    パネル
１２００    プリンタ
１３００    スキャナ
１４００    ＦＡＸ
１５００    制御部
１６００    データ作成部
１７００    画像データ記憶部
１８００    データ通信部
２０００    端末
２００１    ルータ
３０００    ポート番号管理テーブル
【図１】
2005286873.tif 000003
【図２】
2005286873.tif 000004
【図３】
2005286873.tif 000005
【図４】
2005286873.tif 000006